(57)【要約】【課題】ＳＥＭ等の荷電粒子線装置において、結晶の方位情報が有する誤差に関する情報を処理するための誤差処理装置を提供する。【解決手段】試料台の載置面上に載置された試料の表面に荷電粒子線を入射させる荷電粒子線装置１００に用いられ、荷電粒子線装置１００によって得られる結晶の方位情報が有する誤差に関する情報を処理する装置であって、載置面上に載置され、載置面に対する結晶の方位が既知である参照試料の方位と、荷電粒子線装置１００によって測定された参照試料の表面における結晶の方位情報とに基づいて求められた、参照試料の表面における結晶の方位情報が有する誤差に関する情報を取得する方位誤差取得部１と、誤差に関する情報を処理する方位誤差処理部２と、を備える、誤差処理装置１０。【選択図】図１
2020149846.tif 000002
【特許請求の範囲】
【請求項１】
試料台の載置面上に載置された試料の表面に荷電粒子線を入射させる荷電粒子線装置に用いられ、前記荷電粒子線装置によって得られる結晶の方位情報が有する誤差に関する情報を処理する装置であって、
前記載置面上に載置され、前記載置面に対する結晶の方位が既知である参照試料の前記方位と、前記荷電粒子線装置によって測定された前記参照試料の表面における結晶の方位情報とに基づいて求められた、前記参照試料の表面における前記結晶の方位情報が有する誤差に関する情報を取得する方位誤差取得部と、
前記誤差に関する情報を処理する方位誤差処理部と、を備える、
誤差処理装置。
【請求項２】
前記方位誤差処理部は、方位誤差出力部を有し、
前記方位誤差出力部は、前記方位誤差取得部によって取得された前記誤差に関する情報を外部の表示装置に表示されるよう出力する、
請求項１に記載の誤差処理装置。
【請求項３】
前記方位誤差処理部は、方位誤差判定部を有し、
前記方位誤差判定部は、前記方位誤差取得部によって取得された前記誤差に関する情報に基づいて、前記荷電粒子線装置によって測定される前記試料の表面における結晶の方位情報の補正を行うかどうかを判定する、
請求項１または請求項２に記載の誤差処理装置。
【請求項４】
前記方位誤差取得部は、方位情報取得部および方位誤差算出部を有し、
前記方位情報取得部は、前記荷電粒子線装置によって測定された前記参照試料の表面における前記結晶の方位情報を取得し、
前記方位誤差算出部は、前記参照試料の前記方位と、前記方位情報取得部によって取得された前記方位情報とに基づき、前記誤差に関する情報を算出する、
請求項１から請求項３までのいずれかに記載の誤差処理装置。
【請求項５】
前記方位誤差取得部によって取得された前記誤差に関する情報に基づいて、前記荷電粒子線装置によって測定された前記試料の表面における結晶の方位情報の補正を行う補正部をさらに備える、
請求項１から請求項４までのいずれかに記載の誤差処理装置。
【請求項６】
前記補正部によって補正された後の、前記試料の表面における結晶の方位情報を外部の表示装置に表示されるよう出力する補正方位情報出力部をさらに備える、
請求項５に記載の誤差処理装置。
【請求項７】
請求項１から請求項６までのいずれかに記載の誤差処理装置を備えた、
荷電粒子線装置。
【請求項８】
試料台の載置面上に載置された試料の表面に荷電粒子線を入射させる荷電粒子線装置に用いられ、前記荷電粒子線装置によって得られる結晶の方位情報が有する誤差に関する情報を処理する方法であって、
（ａ）前記載置面上に載置され、前記載置面に対する結晶の方位が既知である参照試料の前記方位と、前記荷電粒子線装置によって測定された前記参照試料の表面における結晶の方位情報とに基づいて求められた、前記参照試料の表面における前記結晶の方位情報が有する誤差に関する情報を取得するステップと、
（ｂ）前記誤差に関する情報を処理するステップと、を備える、
誤差処理方法。
【請求項９】
前記（ｂ）のステップにおいて、前記（ａ）のステップで取得された前記誤差に関する情報を外部の表示装置に表示されるよう出力する、
請求項８に記載の誤差処理方法。
【請求項１０】
前記（ｂ）のステップにおいて、前記（ａ）のステップで取得された前記誤差に関する情報に基づいて、前記荷電粒子線装置によって測定される前記試料の表面における結晶の方位情報の補正を行うかどうかを判定する、
請求項８または請求項９に記載の誤差処理方法。
【請求項１１】
前記（ａ）のステップにおいて、前記荷電粒子線装置によって測定された前記参照試料の表面における前記結晶の方位情報を取得し、前記参照試料の前記方位と、前記方位情報取得部によって取得された前記方位情報とに基づき、前記誤差に関する情報を算出する、
請求項８から請求項１０までのいずれかに記載の誤差処理方法。
【請求項１２】
（ｃ）前記（ａ）のステップで取得された前記誤差に関する情報に基づいて、前記荷電粒子線装置によって測定された前記試料の表面における結晶の方位情報の補正を行うステップをさらに備える、
請求項８から請求項１１までのいずれかに記載の誤差処理方法。
【請求項１３】
（ｄ）前記（ｃ）のステップで補正された後の、前記試料の表面における結晶の方位情報を外部の表示装置に表示されるよう出力するステップをさらに備える、
請求項１２に記載の誤差処理方法。
【請求項１４】
試料台の載置面上に載置された試料の表面に荷電粒子線を入射させる荷電粒子線装置に用いられ、コンピュータによって、前記荷電粒子線装置によって得られる結晶の方位情報が有する誤差に関する情報を処理するプログラムであって、
前記コンピュータに、
（ａ）前記載置面上に載置され、前記載置面に対する結晶の方位が既知である参照試料の前記方位と、前記荷電粒子線装置によって測定された前記参照試料の表面における結晶の方位情報とに基づいて求められた、前記参照試料の表面における前記結晶の方位情報が有する誤差に関する情報を取得するステップと、
（ｂ）前記誤差に関する情報を処理するステップと、を実行させる、
プログラム。
【請求項１５】
前記（ｂ）のステップにおいて、前記（ａ）のステップで取得された前記誤差に関する情報を外部の表示装置に表示されるよう出力する、
請求項１４に記載のプログラム。
【請求項１６】
前記（ｂ）のステップにおいて、前記（ａ）のステップで取得された前記誤差に関する情報に基づいて、前記荷電粒子線装置によって測定される前記試料の表面における結晶の方位情報の補正を行うかどうかを判定する、
請求項１４または請求項１５に記載のプログラム。
【請求項１７】
前記（ａ）のステップにおいて、前記荷電粒子線装置によって測定された前記参照試料の表面における前記結晶の方位情報を取得し、前記参照試料の前記方位と、前記方位情報取得部によって取得された前記方位情報とに基づき、前記誤差に関する情報を算出する、
請求項１４から請求項１６までのいずれかに記載のプログラム。
【請求項１８】
（ｃ）前記（ａ）のステップで取得された前記誤差に関する情報に基づいて、前記荷電粒子線装置によって測定された前記試料の表面における結晶の方位情報の補正を行うステップをさらに備える、
請求項１４から請求項１７までのいずれかに記載のプログラム。
【請求項１９】
（ｄ）前記（ｃ）のステップで補正された後の、前記試料の表面における結晶の方位情報を外部の表示装置に表示されるよう出力するステップをさらに備える、
請求項１８に記載のプログラム。
【発明の詳細な説明】
【技術分野】
【０００１】
本発明は誤差処理装置、それを備えた荷電粒子線装置、誤差処理方法およびプログラムに関する。
【背景技術】
【０００２】
走査電子顕微鏡（ＳＥＭ：Scanning Electron Microscope）は、加速された電子線を収束して電子線束として、試料表面上を周期的に走査しながら照射し、照射された試料の局所領域から発生する反射電子および／または二次電子等を検出して、それらの電気信号を材料組織像として変換することによって、材料の表面形態、結晶粒および表面近傍の転位などを観察する装置である。
【０００３】
真空中で電子源より引き出された電子線は、直ちに１ｋＶ以下の低加速電圧から３０ｋＶ程度の高加速電圧まで、観察目的に応じて異なるエネルギーで加速される。そして、加速された電子線は、コンデンサレンズおよび対物レンズ等の磁界コイルによって、ナノレベルの極微小径に集束されて電子線束となり、同時に偏向コイルによって偏向することで、試料表面上に収束された電子線束が走査される。また、最近では電子線を集束するに際して、電界コイルも組み合わせるような形式も用いられる。
【０００４】
従来のＳＥＭにおいては、分解能の制約から、二次電子像によって試料の表面形態を観察し、反射電子像によって組成情報を調べることが主要機能であった。しかしながら、近年、加速された電子線を、高輝度に維持したまま直径数ｎｍという極微小径に集束させることが可能になり、非常に高分解能な反射電子像および二次電子像が得られるようになってきた。
【０００５】
従来、格子欠陥の観察は透過電子顕微鏡（ＴＥＭ：Transmission Electron Microscope）を用いるのが主流であった。しかし、前記のような高分解能ＳＥＭにおいても反射電子像を活用した電子チャネリングコントラストイメージング（ＥＣＣＩ）法を用いることによって、結晶材料の極表面（表面からの深さ約１００ｎｍ程度）ではあるが、試料内部の格子欠陥（以下では、「内部欠陥」ともいう。）の情報を観察できるようになってきた（非特許文献１および２を参照）。
【先行技術文献】
【特許文献】
【０００６】
【特許文献１】特開２００６−１９４７４３号公報
【特許文献２】特開２０１６−１３９５１３号公報
【特許文献３】特開２０１８−０２２５９２号公報
【非特許文献】
【０００７】
【非特許文献１】日本電子Ｎｅｗｓ  Ｖｏｌ．４３，（２０１１）ｐ．７−１２
【非特許文献２】顕微鏡  Ｖｏｌ．４８，Ｎｏ．３（２０１３）ｐ．２１６−２２０
【発明の概要】
【発明が解決しようとする課題】
【０００８】
ところで、ＳＥＭ−ＥＣＣＩ法によって結晶性材料を観察すると、結晶方位の違いにより観察像の明暗が大きく変化する。そして、特定の結晶方位において、観察像は最も暗くなる。このような条件は、電子チャネリング条件（以下では、単に「チャネリング条件」ともいう）と呼ばれる。上記のチャネリング条件は、試料に対する電子線の入射方向の調整によって満足するようになる。
【０００９】
ＳＥＭにおいて入射電子線と所定の結晶面とのなす角が変化すると、反射電子強度が変化する。そして、入射電子線と所定の結晶面とのなす角が特定の条件を満足する際に、入射電子線が結晶奥深くまで侵入し反射しづらくなり、反射電子強度が最小となる。この条件がチャネリング条件である。
【００１０】
また、同じ条件であっても、転位または積層欠陥等の格子欠陥があり結晶面が局所的に乱れている部分では、一部の電子線が反射することにより反射電子強度は高くなる。その結果、背景と格子欠陥とのコントラストが強調され、内部欠陥を識別して観察できるようになる。
【００１１】
このような格子欠陥に起因するコントラストを観察するためには、試料座標系に対する結晶座標系の回転を表す方位情報（以下、単に「結晶の方位情報」ともいう。）を把握する必要がある。ＳＥＭには、結晶方位を解析するための電子後方散乱回折（ＥＢＳＤ：Electron Back Scatter Diffraction）装置が、付加的に搭載されていることが多く、これによりＥＢＳＤパターンを取得することが可能になる。
【００１２】
背景に対して強いコントラストを持つ格子欠陥像を取得するためには、ＥＢＳＤにより得られたＥＢＳＤパターンから解析された結晶方位を考慮して、チャネリング条件を満足するように試料を傾斜させ、反射電子像を観察することが有効である。
【００１３】
ここで、ＥＢＳＤパターンを取得するためには、試料をＳＥＭ内で７０°程度まで大きく傾斜させる必要がある。ＳＥＭによって反射電子像を得るための反射電子検出器の幾何配置として、ＥＢＳＤ検出器の直下に配置する前方散乱配置と、電子銃直下に配置する後方散乱配置とがある。前方散乱配置では、試料をＳＥＭ内で７０°程度まで大きく傾斜させた状態で反射電子像を得ることができるが、入射電子線の収差が大きいため高分解能像を得ることができない。
【００１４】
一方、後方散乱配置では、内部欠陥を反映した高分解能像を得ることができるが、反射電子像の取得とＥＢＳＤによるＥＢＳＤパターンの取得が同時に行えないという問題がある。また、反射電子像とＥＢＳＤパターンとを交互に取得する場合も、そのたびに試料を大きく傾斜する必要が生じる。
【００１５】
この際、試料台の傾斜精度、またはＥＢＳＤ検出器のキャリブレーション等の問題により、試料表面とＥＢＳＤ検出器との位置関係が適切な位置からずれ、取得される試料表面における結晶の方位情報に誤差が生じる場合がある。特に、格子欠陥に起因するコントラストは、わずかな傾斜角度の変化に対して敏感に変化する。そのため、結晶の方位情報の誤差は大きな問題となる。
【００１６】
一般的に、上記の誤差を補正するために、結晶の方位情報が既知の試料の測定を行い、その結果に基づき試料台の傾斜角度を調整する方法が用いられている（例えば、特許文献１を参照。）。
【００１７】
しかし、ＥＢＳＤによる測定時においては、試料台がすでに７０°程度傾いており、これ以上の傾斜が困難である場合があるため、試料台の傾斜角度の調整による誤差の補正には限界がある。また、ＥＢＳＤ検出器についても、その位置または角度を変更することは容易でない。
【００１８】
一方、結晶の方位情報が有する誤差に関する情報を把握することが可能であれば、試料台の傾斜角度、またはＥＢＳＤ検出器の位置もしくは角度を調整することなく、例えば、得られた誤差に基づいて結晶の方位情報を計算によって補正することが容易となる。
【００１９】
本発明は、ＳＥＭ、ＴＥＭおよび走査イオン顕微鏡（ＳＩＭ：Scanning Ion Microscope）等の荷電粒子線装置において、結晶の方位情報が有する誤差に関する情報を処理するための誤差処理装置、それを備えた荷電粒子線装置、誤差処理方法およびプログラムを提供することを目的とする。
【課題を解決するための手段】
【００２０】
本発明は、上記の課題を解決するためになされたものである。
【００２１】
本発明の一実施形態に係る誤差処理装置は、
試料台の載置面上に載置された試料の表面に荷電粒子線を入射させる荷電粒子線装置に用いられ、前記荷電粒子線装置によって得られる結晶の方位情報が有する誤差に関する情報を処理する装置であって、
前記載置面上に載置され、前記載置面に対する結晶の方位が既知である参照試料の前記方位と、前記荷電粒子線装置によって測定された前記参照試料の表面における結晶の方位情報とに基づいて求められた、前記参照試料の表面における前記結晶の方位情報が有する誤差に関する情報を取得する方位誤差取得部と、
前記誤差に関する情報を処理する方位誤差処理部と、を備えることを特徴とする。
【００２２】
また、本発明の一実施形態に係る誤差処理方法は、
試料台の載置面上に載置された試料の表面に荷電粒子線を入射させる荷電粒子線装置に用いられ、前記荷電粒子線装置によって得られる結晶の方位情報が有する誤差に関する情報を処理する方法であって、
（ａ）前記載置面上に載置され、前記載置面に対する結晶の方位が既知である参照試料の前記方位と、前記荷電粒子線装置によって測定された前記参照試料の表面における結晶の方位情報とに基づいて求められた、前記参照試料の表面における前記結晶の方位情報が有する誤差に関する情報を取得するステップと、
（ｂ）前記誤差に関する情報を処理するステップと、を備えることを特徴とする。
【００２３】
また、本発明の一実施形態に係るプログラムは、
試料台の載置面上に載置された試料の表面に荷電粒子線を入射させる荷電粒子線装置に用いられ、コンピュータによって、前記荷電粒子線装置によって得られる結晶の方位情報が有する誤差に関する情報を処理するプログラムであって、
前記コンピュータに、
（ａ）前記載置面上に載置され、前記載置面に対する結晶の方位が既知である参照試料の前記方位と、前記荷電粒子線装置によって測定された前記参照試料の表面における結晶の方位情報とに基づいて求められた、前記参照試料の表面における前記結晶の方位情報が有する誤差に関する情報を取得するステップと、
（ｂ）前記誤差に関する情報を処理するステップと、を実行させることを特徴とする。
【発明の効果】
【００２４】
本発明によれば、ＳＥＭ、ＴＥＭ、ＳＩＭ等の荷電粒子線装置が有するＥＢＳＤによって測定された結晶の方位情報が有する誤差に関する情報を処理することができる。その結果、例えば、試料台の傾斜角度、またはＥＢＳＤ検出器の位置もしくは角度を調整することなく、得られた誤差に関する情報に基づいて結晶の方位情報を計算によって補正することが可能になる。
【図面の簡単な説明】
【００２５】
【図１】本発明の一実施形態に係る誤差処理装置の概略構成を示す図である。
【図２】本発明の他の実施形態における誤差処理装置の構成を具体的に示す構成図である。
【図３】結晶方位図の一例を示す図である。
【図４】菊池マップと実格子の模式図の対応を説明するための概念図である。
【図５】ＳＥＭの一例を模式的に示した図である。
【図６】ＴＥＭの一例を模式的に示した図である。
【図７】本発明の一実施形態に係る誤差処理装置の動作を示すフロー図である。
【図８】本発明の実施の形態における誤差処理装置を実現するコンピュータの一例を示すブロック図である。
【発明を実施するための形態】
【００２６】
本発明の実施の形態に係る誤差処理装置、荷電粒子線装置、誤差処理方法およびプログラムについて、図１〜８を参照しながら説明する。
【００２７】
［誤差処理装置の構成］
図１は、本発明の一実施形態に係る誤差処理装置を備えた荷電粒子線装置の概略構成を示す図である。本発明の一実施形態に係る誤差処理装置１０は、試料台の載置面上に載置された試料の表面に荷電粒子線を入射させる荷電粒子線装置１００に用いられ、荷電粒子線装置１００によって得られる結晶の方位情報が有する誤差に関する情報を処理する装置である。
【００２８】
なお、荷電粒子線には、電子線、集束イオンビーム（ＦＩＢ：Focused Ion Beam）、アルゴンクラスター等の電荷を帯びた原子クラスター、陽電子線等が含まれる。また、荷電粒子線装置１００には、ＳＥＭ、ＴＥＭ、ＳＩＭ等が含まれる。さらに、試料台としては、汎用的な荷電粒子線装置１００に付属の試料台であってもよいし、特許文献２または特許文献３に開示される機構を備えた試料台であってもよい。
【００２９】
誤差処理装置１０は、荷電粒子線装置１００に直接組み込まれていてもよいし、荷電粒子線装置１００に接続された汎用のコンピュータ等に搭載されていてもよい。さらに、誤差処理装置１０は、荷電粒子線装置１００とは接続されていない汎用のコンピュータ等に搭載されていてもよい。
【００３０】
また、図１に示すように、本発明の一実施形態に係る誤差処理装置１０は、方位誤差取得部１と、方位誤差処理部２とを備える。
【００３１】
方位誤差取得部１は、結晶の方位情報が有する誤差に関する情報を取得する。結晶の方位情報が有する誤差に関する情報は、載置面上に載置され、載置面に対する結晶の方位が既知である参照試料の方位と、荷電粒子線装置１００によって測定された参照試料の表面における結晶の方位情報とに基づいて求められたものである。
【００３２】
参照試料の種類については、載置面に対する結晶の方位が既知である限り特に制限はないが、立方晶の単結晶材料を用いることが好ましい。また、載置面に垂直な方向と、立方晶の＜１００＞方向、＜１１０＞方向または＜１１１＞方向のいずれとがなす角度が１°以下であることが好ましい。例えば、（００１）面が載置面と平行なＳｉ単結晶試料（以下、「Ｓｉ（００１）単結晶試料」ともいう。）を用いることが好ましい。
【００３３】
参照試料の表面における結晶の方位情報は、誤差処理装置１０を備えた荷電粒子線装置１００により、ＥＢＳＤ法、透過ＥＢＳＤ法、電子チャネリングパターン（ＥＣＰ：Electron Channeling Pattern）等を用いた点分析またはマッピング分析等を行うことによって取得することができる。
【００３４】
なお、結晶の方位情報とは、試料座標系に対する結晶座標系の回転を表す方位情報のことである。ここで、試料座標系とは、試料に固定された座標系であり、結晶座標系とは、結晶格子に固定された座標系である。また、結晶の方位情報には、試料座標系に対する結晶座標系の回転を表す方位情報を含む数値データが含まれる。
【００３５】
上記の数値データには、例えば、結晶方位をロドリゲスベクトル等の回転ベクトルに変換したデータ、および、結晶方位を試料表面上の仮想的な直交座標系を基準としたオイラー角等によって表された回転行列に変換したデータ等が含まれる。さらに、数値データへの変換は、方位誤差取得部１が行ってもよいし、外部の装置が行ってもよい。なお、本発明において、「数値データ」は、数値の集合によって表されるデータを意味するものとする。
【００３６】
参照試料の方位と、参照試料の表面において測定された結晶の方位情報とから、結晶の方位情報が有する誤差に関する情報を求める方法についても特に制限はなく、外部の装置によって求めてもよいし、方位誤差取得部１が求めてもよい。
【００３７】
図２は、本発明の他の実施形態における誤差処理装置の構成を具体的に示す構成図である。誤差に関する情報を方位誤差取得部１が求める場合においては、図２に示すように、方位誤差取得部１が方位情報取得部１ａおよび方位誤差算出部１ｂを有し、方位情報取得部１ａが荷電粒子線装置１００によって測定された参照試料の表面における結晶の方位情報を取得し、方位誤差算出部１ｂが載置面に対する参照試料の方位と、方位情報取得部１ａによって取得された結晶の方位情報とに基づき、誤差に関する情報を算出することができる。
【００３８】
誤差に関する情報には、例えば、荷電粒子線の入射方向に対する、Ｓｉ（００１）単結晶試料の［００１］晶帯軸の方向を表す単位ベクトル、またはその単位ベクトルをオイラー角で表された回転行列等が含まれる。
【００３９】
なお、参照試料の表面における結晶の方位情報としては、１回の測定による値を用いてもよいが、精度向上の観点からは、複数回の測定によって得られた数値データ（回転ベクトル、回転行列等）の平均値を用いることが好ましい。
【００４０】
また、方位誤差処理部２は、方位誤差取得部１によって取得された参照試料の表面における結晶の方位情報が有する誤差に関する情報を処理する。
【００４１】
誤差に関する情報を処理する方法については特に制限はない。例えば、図２に示すように、方位誤差処理部２が方位誤差出力部２ａを有しており、方位誤差出力部２ａが誤差に関する情報を外部の表示装置に表示されるよう出力することができる。これにより、オペレータは、結晶の方位情報が有する誤差に関する情報を把握することが可能となる。
【００４２】
また、図２に示すように、方位誤差処理部２が方位誤差判定部２ｂを有しており、方位誤差判定部２ｂが誤差に関する情報に基づいて、荷電粒子線装置によって測定される試料の表面における結晶の方位情報の補正を行うかどうかを判定することができる。これにより、オペレータは判定結果に基づいて補正の要否を判断することが可能となる。
【００４３】
本発明の他の実施形態に係る誤差処理装置１０は、補正部３をさらに備えてもよい。補正部３は、誤差に関する情報に基づいて、荷電粒子線装置によって測定される試料の表面における結晶の方位情報の補正を行う。補正方法については特に制限はなく、例えば、結晶の方位情報がオイラー角等によって表された回転行列である場合には、上記の回転行列によって回転操作を行った後、さらに回転行列として求めた誤差に関する情報を掛け合わせ、所定の軸周りに回転させることで結晶の方位情報を補正することが可能となる。
【００４４】
本発明の他の実施形態に係る誤差処理装置１０は、補正方位情報出力部４をさらに備えてもよい。補正方位情報出力部４は、補正部３によって補正された後の、試料の表面における結晶の方位情報を外部の表示装置に表示されるよう出力する。これにより、オペレータはより正確な結晶の方位情報を把握することが可能となる。
【００４５】
なお、表示される結晶の方位情報は、上述した数値データであってもよいし、当該数値データを解析することで生成される結晶方位図であってもよい。図３は、結晶方位図の一例を示した図である。結晶方位図は、測定対象となる結晶の結晶座標系に対する、荷電粒子線の入射方向を表す図である。
【００４６】
結晶方位図としては、指数付けされた菊池マップ（以降の説明において、単に「菊池マップ」ともいう。）、結晶面のステレオ投影図、実格子の模式図、計算された電子回折図形が挙げられる。図３ａ，３ｂは、菊池マップの一例を示す図であり、図３ｃ，３ｄは、実格子の模式図の一例を示す図である。また、図４は、菊池マップと実格子の模式図の対応を説明するための概念図である。
【００４７】
図３ａ，３ｃ，４ａに示す状態では、結晶が有する［００１］晶帯軸の方向と荷電粒子線ＣＢの入射方向が平行となっている。なお、図３ａ，３ｂにおける荷電粒子線ＣＢの入射方向は図中央の十字印で示されており、図３ｃ，３ｄにおける荷電粒子線ＣＢの入射方向は紙面垂直方向である。一方、図４ｂに模式的に示されるように、結晶が荷電粒子線ＣＢの入射方向に対して回転すると、菊池マップおよび実格子の模式図は、図３ｂ，３ｄに示す状態に変化する。
【００４８】
［荷電粒子線装置の構成］
本発明の一実施形態に係る荷電粒子線装置１００は、誤差処理装置１０および本体部２０を備えるものである。本発明の実施の形態に係る誤差処理装置を備えた荷電粒子線装置の構成について、さらに具体的に説明する。
【００４９】
荷電粒子線装置１００としてＳＥＭ２００を用いる場合を例に説明する。図５は、ＳＥＭ２００の一例を模式的に示した図である。図５に示すように、ＳＥＭ２００は、誤差処理装置１０、表示装置３０、入力装置４０および本体部２１０を備える。そして、本体部２１０は、電子線入射装置２２０、電子線制御装置２３０、試料台２４０、試料台駆動装置２５０、検出装置２６０およびＦＩＢ入射装置２７０を備える。
【００５０】
電子線入射装置２２０は、電子源より電子線を引き出し、加速しながら放出する電子銃２２１と、加速された電子線束を集束するコンデンサレンズ２２２と、集束された電子線束を試料上の微小領域に収束させる対物レンズ２２３と、それを含むポールピース２２４と、電子線束を試料上で走査するための偏向コイル２２５とから主に構成される。
【００５１】
電子線制御装置２３０は、電子銃制御装置２３１と、集束レンズ系制御装置２３２と、対物レンズ系制御装置２３３と、偏向コイル制御装置２３５とを含む。なお、電子銃制御装置２３１は、電子銃２２１により放出される電子線の加速電圧等を制御する装置であり、集束レンズ系制御装置２３２は、コンデンサレンズ２２２により集束される電子線束の開き角等を制御する装置である。
【００５２】
試料台２４０は、試料を支持するためのものであり、試料台駆動装置２５０により傾斜角度および仮想的な３次元座標上の位置を自在に変更することが可能である。また、検出装置２６０には、二次電子検出器２６１、反射電子検出器２６２および電子後方散乱回折（ＥＢＳＤ）検出器２６３が含まれる。
【００５３】
ＦＩＢ入射装置２７０は、試料に対してＦＩＢを入射するための装置である。公知の装置を採用すればよいため、詳細な図示および構造の説明は省略する。図５に示すように、ＳＥＭ２００の内部にＦＩＢ入射装置２７０を備える構成においては、荷電粒子線として、電子線入射装置２２０から入射される電子線およびＦＩＢ入射装置２７０から入射されるＦＩＢが含まれる。一般的に、ＦＩＢの入射方向は、電子線の入射方向に対して、５２°、５４°または９０°傾斜している。なお、ＳＥＭ２００は、ＦＩＢ入射装置２７０を備えていなくてもよい。
【００５４】
上記の構成においては、二次電子検出器２６１および反射電子検出器２６２により、荷電粒子線像が得られ、電子後方散乱回折検出器２６３によって、結晶の方位情報が得られる。特に、反射電子検出器２６２によって、反射電子強度に関する情報を測定することが可能である。
【００５５】
次に、荷電粒子線装置１００がＴＥＭ３００である場合を例に説明する。図６は、ＴＥＭ３００の一例を模式的に示した図である。図６に示すように、ＴＥＭ３００の本体部３１０は、電子線入射装置３２０、電子線制御装置３３０、試料ホルダー３４０、試料ホルダー駆動装置３５０、検出装置３６０および検出系制御装置３７０を備える。
【００５６】
電子線入射装置３２０は、電子源より電子線を引き出し、加速しながら放出する電子銃３２１と、加速された電子線束を集束する第１コンデンサレンズ３２２および第２コンデンサレンズ３２３とから主に構成される。
【００５７】
電子線制御装置３３０は、電子銃制御装置３３１と、第１コンデンサレンズ系制御装置３３２と、第２コンデンサレンズ系制御装置３３３とを含む。なお、電子銃制御装置３３１は、電子銃３２１により放出される電子線の加速電圧を制御する装置である。また、第１コンデンサレンズ系制御装置３３２および第２コンデンサレンズ系制御装置３３３は、それぞれ第１コンデンサレンズ３２２および第２コンデンサレンズ３２３により集束される電子線束の開き角等を制御する装置である。
【００５８】
試料ホルダー３４０は、試料を支持するためのものであり、試料ホルダー駆動装置３５０により傾斜角度および仮想的な３次元座標上の位置を自在に変更することが可能である。また、検出装置３６０は、対物レンズ３６１と、中間レンズ３６２と、投影レンズ３６３と、検出器３６４とを含む。そして、対物レンズ３６１、中間レンズ３６２および投影レンズ３６３によって拡大された透過像および電子回折図形が検出器３６４に投影される。
【００５９】
検出系制御装置３７０は、対物レンズ制御装置３７１と、中間レンズ制御装置３７２と、投影レンズ制御装置３７３とを含み、それぞれが対物レンズ３６１、中間レンズ３６２および投影レンズ３６３の磁気強度を変えることによって、検出器３６４に入る情報を透過像または電子回折図形に切り替えることができる。
【００６０】
上記の構成においては、検出器３６４により、荷電粒子線像および結晶の方位情報が得られる。
【００６１】
［装置動作］
次に、本発明の一実施形態に係る誤差処理装置の動作について図７を用いて説明する。図７は、本発明の一実施形態に係る誤差処理装置の動作を示すフロー図である。以降に示す実施形態では、ＳＥＭを用いる場合を例に説明する。
【００６２】
まず前提として、試料台の載置面に載置したＳｉ（００１）単結晶試料に対して、ＥＢＳＤ法を用いた点分析を複数回行う。また、続いて、載置面に載置した試料表面の所定の領域を対象としてＥＢＳＤ法を用いたマッピング分析を行う。なお、ＥＢＳＤ法を用いる場合には、試料を元の状態から約７０°傾斜させた状態で分析を行う必要がある。分析後、試料の傾斜角度を元の状態に戻す。
【００６３】
そして、方位情報取得部１ａは、電子後方散乱回折検出器２６３が検出したＳｉ（００１）単結晶試料における複数の結晶の方位情報を取得するとともに、それぞれを試料表面上の仮想的な直交座標系を基準としたオイラー角に変換する（ステップＡ１）。続いて、方位情報取得部１ａは、オイラー角に変換された複数の結晶の方位情報から、立方晶の対称性を考慮し、試料座標系のＺ方向に近い結晶座標系００１軸を平均し、試料座標系に対して結晶座標系００１方向を表す単位ベクトルを算出する（ステップＡ２）。
【００６４】
次に、方位誤差算出部１ｂは、上記の単位ベクトルと荷電粒子線の入射方向とのずれを、オイラー角として算出し、結晶の方位情報が有する誤差に関する情報とする（ステップＡ３）。
【００６５】
その後、方位誤差出力部２ａは、オイラー角として算出された誤差に関する情報の数値データを外部の表示装置に表示されるよう出力する（ステップＡ４）とともに、方位誤差判定部２ｂは、誤差に関する情報に基づき、結晶の方位情報の補正を行うかどうかを判定する（ステップＡ５）。本実施例においては、結晶の方位情報を補正すべきと判定されたものとする。
【００６６】
続いて、補正部３は、ステップＡ３によって得られた誤差に関する情報に基づき、電子後方散乱回折検出器２６３が検出した試料表面における結晶の方位情報を補正する（ステップＡ６）。具体的には、マッピング分析により得られたピクセル毎にオイラー角として求められた結晶の方位情報に対して、オイラー角として求められた誤差に関する情報を掛け合わせて回転操作を行うことにより、補正を行う。
【００６７】
そして、補正方位情報出力部４は、ステップＡ６によって補正された後の、試料の表面における結晶の方位情報から、結晶表面上のオペレータが選択した位置における結晶方位図を生成し、外部の表示装置に表示されるよう出力する（ステップＡ７）。
【００６８】
これにより、試料台の傾斜角度、またはＥＢＳＤ検出器の位置もしくは角度を調整することなく、得られた誤差に関する情報に基づいて結晶の方位情報を補正することが可能になる。
【００６９】
本発明の一実施形態に係るプログラムは、コンピュータに、図７に示すステップＡ１〜Ａ７を実行させるプログラムであればよい。このプログラムをコンピュータにインストールし、実行することによって、本実施の形態における誤差処理装置１０を実現することができる。この場合、コンピュータのプロセッサは、方位誤差取得部１（方位情報取得部１ａ、方位誤差算出部１ｂ）、方位誤差処理部２（方位誤差出力部２ａ、方位誤差判定部２ｂ）、補正部３および補正方位情報出力部４として機能し、処理を行なう。
【００７０】
また、本実施の形態におけるプログラムは、複数のコンピュータによって構築されたコンピュータシステムによって実行されてもよい。この場合は、例えば、各コンピュータが、それぞれ、方位誤差取得部１（方位情報取得部１ａ、方位誤差算出部１ｂ）、方位誤差処理部２（方位誤差出力部２ａ、方位誤差判定部２ｂ）、補正部３および補正方位情報出力部４のいずれかとして機能してもよい。
【００７１】
ここで、上記の実施形態におけるプログラムを実行することによって、誤差処理装置１０を実現するコンピュータについて図８を用いて説明する。図８は、本発明の実施形態における誤差処理装置１０を実現するコンピュータの一例を示すブロック図である。
【００７２】
図８に示すように、コンピュータ５００は、ＣＰＵ（Central Processing Unit）５１１と、メインメモリ５１２と、記憶装置５１３と、入力インターフェイス５１４と、表示コントローラ５１５と、データリーダ／ライタ５１６と、通信インターフェイス５１７とを備える。これらの各部は、バス５２１を介して、互いにデータ通信可能に接続される。なお、コンピュータ５００は、ＣＰＵ５１１に加えて、またはＣＰＵ５１１に代えて、ＧＰＵ（Graphics Processing Unit）、またはＦＰＧＡ（Field-Programmable Gate Array）を備えていてもよい。
【００７３】
ＣＰＵ５１１は、記憶装置５１３に格納された、本実施の形態におけるプログラム（コード）をメインメモリ５１２に展開し、これらを所定順序で実行することにより、各種の演算を実施する。メインメモリ５１２は、典型的には、ＤＲＡＭ（Dynamic Random Access Memory）等の揮発性の記憶装置である。また、本実施の形態におけるプログラムは、コンピュータ読み取り可能な記録媒体５２０に格納された状態で提供される。なお、本実施の形態におけるプログラムは、通信インターフェイス５１７を介して接続されたインターネット上で流通するものであってもよい。
【００７４】
また、記憶装置５１３の具体例としては、ハードディスクドライブの他、フラッシュメモリ等の半導体記憶装置が挙げられる。入力インターフェイス５１４は、ＣＰＵ５１１と、キーボードおよびマウスといった入力機器５１８との間のデータ伝送を仲介する。表示コントローラ５１５は、ディスプレイ装置５１９と接続され、ディスプレイ装置５１９での表示を制御する。
【００７５】
データリーダ／ライタ５１６は、ＣＰＵ５１１と記録媒体５２０との間のデータ伝送を仲介し、記録媒体５２０からのプログラムの読み出し、およびコンピュータ５００における処理結果の記録媒体５２０への書き込みを実行する。通信インターフェイス５１７は、ＣＰＵ５１１と、他のコンピュータとの間のデータ伝送を仲介する。
【００７６】
また、記録媒体５２０の具体例としては、ＣＦ（Compact Flash（登録商標））およびＳＤ（Secure Digital）等の汎用的な半導体記憶デバイス、フレキシブルディスク（Flexible Disk）等の磁気記録媒体、またはＣＤ−ＲＯＭ（Compact Disk Read Only Memory）などの光学記録媒体が挙げられる。
【００７７】
なお、本実施の形態における誤差処理装置１０は、プログラムがインストールされたコンピュータではなく、各部に対応したハードウェアを用いることによっても実現可能である。また、誤差処理装置１０は、一部がプログラムで実現され、残りの部分がハードウェアで実現されていてもよい。さらに、誤差処理装置１０は、クラウドサーバを用いて構成してもよい。
【産業上の利用可能性】
【００７８】
本発明によれば、ＳＥＭ、ＴＥＭ、ＳＩＭ等の荷電粒子線装置が有するＥＢＳＤによって測定された結晶の方位情報が有する誤差に関する情報を処理することができる。その結果、例えば、試料台の傾斜角度、またはＥＢＳＤ検出器の位置もしくは角度を調整することなく、得られた誤差に関する情報に基づいて結晶の方位情報を計算によって補正することが可能になる。
【符号の説明】
【００７９】
１．方位誤差取得部
１ａ．方位情報取得部
１ｂ．方位誤差算出部
２．方位誤差処理部
２ａ．方位誤差出力部
２ｂ．方位誤差判定部
３．補正部
４．補正方位情報出力部
１０．誤差処理装置
２０．本体部
３０．表示装置
４０．入力装置
１００．荷電粒子線装置
２００．ＳＥＭ
３００．ＴＥＭ
５００．コンピュータ
ＣＢ．荷電粒子線
【図１】
2020149846.tif 000003
【図２】
2020149846.tif 000004
【図３】
2020149846.tif 000005
【図４】
2020149846.tif 000006
【図５】
2020149846.tif 000007
【図６】
2020149846.tif 000008
【図７】
2020149846.tif 000009
【図８】
2020149846.tif 000010